(57)【要約】【課題】複数枚のパネルを側面どうし突き合わせた状態に配置して仕切りや仮囲いを形成した後、中間のパネルを取り外す必要がある場合に、その中間パネルの取り外しがパ容易に行える間仕切りパネルを提供する。【解決手段】第１パネル１と、第１パネル１内に上下方向伸縮可能に収納される第２パネル２と、第２パネル２を第１パネル１に対し所要の伸縮位置に固定するロック手段３とからなる間仕切りパネルＰであって、ロック手段３は、第２パネル２の正面側両端部に夫々上下方向に配設した多数のロック孔４の一つに、第１パネル１の正面側両端部に夫々設けたロック部材５Ａ，５Ｂを係入してロック状態にすることにより、第１パネル１に対し収縮する方向への第２パネル２の移動を阻止すると共に、伸張する方向への第２パネル２の移動を許すようになっている。【選択図】図１
2007332580.tif 000002
【特許請求の範囲】
【請求項１】
第１パネルと、第１パネル内に上下方向伸縮可能に収納される第２パネルと、第２パネルを第１パネルに対し所要の伸縮位置に固定するロック手段とからなる間仕切りパネルであって、ロック手段は、第２パネルの正面側両端部に夫々上下方向に配設した多数のロック孔の一つに、第１パネルの正面側両端部に夫々設けたロック部材を係入してロック状態にすることにより、第１パネルに対し収縮する方向への第２パネルの移動を阻止すると共に、伸張する方向への第２パネルの移動を許すように構成されてなることを特徴とする間仕切りパネル。
【請求項２】
ロック手段のロック部材は、第１パネルの正面側両端部に夫々一端部が固定された板バネと、第１パネルの正面側両端部を夫々貫通してロック孔の一つに対し斜め方向に係入するように板バネの遊端部に設けられた傾斜状係入片と、常時は傾斜状係入片がロック孔から離脱したロック解除位置に付勢されている板バネをそのバネ付勢力に抗して傾斜状係入片がロック孔に係入したロック位置に押圧保持し且つそのロック位置での板バネの保持を解放してロック解除位置に戻す操作手段とからなるもので、ロック位置において第２パネルを第１パネルに対し伸張する方向に移動させることにより、傾斜状係入片が楔作用によってロック孔から離脱する方向にスライドして板バネを変形させ、ロック解除状態となるようになっている請求項１に記載の間仕切りパネル。
【請求項３】
ロック手段のロック部材は、第１パネルの正面側両端部に夫々一端部が固定された板バネと、第１パネルの正面側両端部を夫々貫通してロック孔の一つに対し斜め方向に係入するように板バネの遊端部に固定された傾斜状係入片と、常時は傾斜状係入片がロック孔に係入したロック位置に付勢されている板バネをそのバネ付勢力に抗して傾斜状係入片がロック孔から離脱したロック解除位置まで引き離し且つロック解除位置にある板バネをロック位置に戻す操作手段とからなるもので、ロック位置において第２パネルを第１パネルに対し伸張する方向に移動させることにより、傾斜状係入片が楔作用によってロック孔から離脱する方向にスライドして板バネを変形させ、ロック解除状態となるようになっている請求項１に記載の間仕切りパネル。
【請求項４】
第１パネルを下側に位置させ、第２パネルを上側に位置させるようにしてなる請求項１〜３の何れかに記載の間仕切りパネル。
【発明の詳細な説明】
【技術分野】
【０００１】
本発明は、展示場で各展示コーナーを仕切る間仕切り、デパートにおける模様替え工事等の部分改装工事現場での仕切りや仮囲いに使用される間仕切りパネルに関するもので、特に、上下方向に伸縮可能に接続される上下２枚のパネルからなる間仕切りパネルに関する。
【背景技術】
【０００２】
従来の間仕切りパネルとして、特許文献１に記載されたものがある。この間仕切りパネルは、第１パネルと、第１パネル内に上下方向伸縮可能に収納される第２パネルと、第２パネルを第１パネルに対して所要の伸縮位置にロックするロック手段とからなるもので、ロック手段は、第２パネルの側端部に上下方向に配設した多数のロック孔の一つに、第１パネルの側端部に設けたロック部材を係入してロック状態とすることにより、第１パネルに対し収縮する方向への第２パネルの移動を阻止すると共に、伸張する方向への第２パネルの移動を阻止するようになっている。
【特許文献１】特開２００５−２７３４０２号公報
【発明の開示】
【発明が解決しようとする課題】
【０００３】
特許文献１に記載された間仕切りパネルによれば、ロック手段が第１パネル及び第２パネルの左右両側面がわに設けられていて、各側面がわからロック操作及びロック解除操作を行なうようになっていることから、所定の場所にその一端から他端へと複数枚のパネルを側面どうし突き合わせた状態に配設して仕切りや仮囲いを形成した後、その仕切りや仮囲いに例えば出入口等を設けるために中間のパネルを取り外す必要がある場合、その中間パネルの取り外しが困難であった。
【０００４】
本発明は、上記のように複数枚のパネルを側面どうし突き合わせた状態に配設して仕切りや仮囲いを形成した後、中間のパネルを取り外す必要がある場合にその中間のパネルの取り外しがパ容易に行えるようにした間仕切りパネルを提供することを目的とする。
【課題を解決するための手段】
【０００５】
上記課題を解決するための手段を、後述する実施形態の参照符号を付して説明すると、請求項１に係る発明は、第１パネル１と、第１パネル１内に上下方向伸縮可能に収納される第２パネル２と、第２パネル２を第１パネル１に対し所要の伸縮位置に固定するロック手段３とからなる間仕切りパネルＰであって、ロック手段３は、第２パネル２の正面側両端部に夫々上下方向に配設した多数のロック孔４の一つに、第１パネル１の正面側両端部に夫々設けたロック部材５Ａ，５Ｂを係入してロック状態にすることにより、第１パネル１に対し収縮する方向への第２パネル２の移動を阻止すると共に、伸張する方向への第２パネル２の移動を許すように構成されてなることを特徴とする。
【０００６】
請求項２は、請求項１に記載の間仕切りパネルにおいて、ロック手段３のロック部材５Ａは、第１パネル１の正面側両端部に夫々一端部が固定された板バネ８と、第１パネル１の正面側両端部を夫々貫通してロック孔４の一つに対し斜め方向に係入するように板バネ８の遊端部に設けられた傾斜状係入片９と、常時は傾斜状係入片９がロック孔４から離脱したロック解除位置に付勢されている板バネ８をそのバネ付勢力に抗して傾斜状係入片９がロック孔４に係入したロック位置に押圧保持し且つそのロック位置での板バネ８の保持を解放してロック解除位置に戻す操作手段１３とからなるもので、ロック位置において第２パネル２を第１パネル１に対し伸張する方向に移動させることにより、傾斜状係入片９が楔作用によってロック孔４から離脱する方向にスライドして板バネ８を変形させ、ロック解除状態となるようになっていることを特徴とする。
【０００７】
請求項３は、請求項１に記載の間仕切りパネルにおいて、ロック手段３のロック部材５Ｂは、第１パネル１の正面側両端部に夫々一端部が固定された板バネ８と、第１パネル１の正面側両端部を夫々貫通してロック孔４の一つに対し斜め方向に係入するように板バネ８の遊端部に固定された傾斜状係入片９と、常時は傾斜状係入片９がロック孔４に係入したロック位置に付勢されている板バネ８をそのバネ付勢力に抗して傾斜状係入片９がロック孔４から離脱したロック解除位置まで引き離し且つロック解除位置にある板バネ８をロック位置に戻す操作手段１８とからなるもので、ロック位置において第２パネル２を第１パネル１に対し伸張する方向に移動させることにより、傾斜状係入片９が楔作用によってロック孔４から離脱する方向にスライドして板バネ８を変形させ、ロック解除状態となるようになっていることを特徴とする。
【０００８】
請求項４は、請求項１〜３の何れかに記載の間仕切りパネルにおいて、第１パネル１を下側に位置させ、第２パネル２を上側に位置させるようにしてなることを特徴とする。
【発明の効果】
【０００９】
上記解決手段による発明の効果を、後述する実施形態の参照符号を付して説明すると、請求項１に係る発明の間仕切りパネルＰによれば、ロック手段３は、第２パネル２の正面側両端部に夫々上下方向に配設した多数のロック孔４の一つに、第１パネル１の正面側両端部に夫々設けたロック部材５Ａ，５Ｂを係入してロック状態にすることにより、第１パネル１に対し収縮する方向への第２パネル２の移動を阻止すると共に、伸張する方向への第２パネル２の移動を許すように構成されているから、複数の間仕切りパネルＰを、パネル側面どうし互いに突き合わせて仕切りを形成した後で、その仕切りに例えば出入口等を設けるために中間の一つのパネルＰを取り外す必要がある時は、その取り外しが必要な間仕切りパネルＰの正面側両端部に夫々設けてあるロック手段３をロック解除し、そのパネルＰの第２パネル２を第１パネル１内に収納することにより、中間の一つの間仕切りパネルＰのみを簡単容易に取り外すことができる。
【００１０】
請求項２に係る発明によれば、常時はロック部材５Ａの傾斜状係入片９がロック孔４から離脱したロック解除位置にあるから、ロック位置に切り換えるには、操作手段１３を操作して、板バネ８をロック位置に押圧して保持すればよいし、ロック解除するには、そのロック位置での板バネ８の保持を解放してロック解除位置に戻せばよいから、ロック位置とロック解除位置との切り換えを簡単に行うことができる。
【００１１】
請求項３に係る発明によれば、常時はロック部材５Ｂの傾斜状係入片９がロック孔４に係入したロック位置にあるから、ロック解除位置にするには、操作手段１８を操作して板バネ８をロック解除位置まで引き離せばよいし、ロックするには、その操作手段１８によってロック解除位置にある板バネ８をロック位置に戻せばよいから、ロック位置とロック解除位置との切り換えを簡単に行うことができる。
【００１２】
請求項４に係る発明によれば、第１パネル１を下側に位置させ、第２パネル２を上側に位置させた場合は、第１パネル１の長さ（高さ）を十分に長く設定できるから、この第１パネル１の上端がパネルＰの上方部に位置する、つまり第１パネル１と第２パネル２との境界部がパネルＰの上方位置に来るため、外観上体裁、見栄えが良くなる。
【発明を実施するための最良の形態】
【００１３】
以下に本発明の好適実施形態を図面に基づいて説明すると、図１の(a) は本発明に係る間仕切りパネルＰの正面図、(b) は側面図で、上側の第２パネル２が下側の第１パネル１に対し上方へ伸張した状態を仮想線で示している。図２の(a-1) は第１パネル１の正面図、(a-2) は側面図であり、(b-1) は第２パネル２の正面図、(b-2) は側面図である。また図３は図１のイ−イ線拡大断面図、図４の(a) は図２の(b-1) のロ−ロ線拡大断面図であり、(b) は(a) の矢印ハから見た正面図、(c) は(b) の右側面図である。また図５の(a)
は図１の(a) の矢印ニで示す部分の拡大図、(b) は(a) のホ−ホ線断面図、(c) は(a) のヘ−ヘ線断面図である。
【００１４】
間仕切りパネルＰは、図３に示すように左右両端部が略コ字状に形成された第１パネル１と、この第１パネル１と同様に左右両端部が略コ字状に形成されて、第１パネル１内に上下方向伸縮可能に収納される第２パネル２と、第２パネル２を第１パネル１に対し所要の伸縮位置に固定するロック手段３とからなるもので、第１パネル１が下側に配置され、その上側に第２パネル２が配置される。ロック手段３は、図１及び図２に示すように、第２パネル２の正面側両端部に夫々上下方向に配設した多数のロック孔４（図４参照）の一つに、第１パネル１の正面側両端部に夫々設けたロック部材５Ａを係入させることによって、第１パネル１に対し収縮する方向への第２パネル２の移動を阻止すると共に、第１パネル１に対し伸張する方向への第２パネル２の移動を許すように構成されている。
【００１５】
上記間仕切りパネルＰの構造について詳細に説明すると、第１パネル１は、鋼板によって一体に形成されたもので、図２及び図３から分かるように、背板部１ａと、この背板部１ａの左右両端に夫々連設された左右側板部１ｂ，１ｂと、両側板部１ｂ，１ｂに夫々横断面略Ｌ字形のツナギ板部１ｃ，１ｃを介して連設された正面側フランジ部１ｄ，１ｄとから構成される。
【００１６】
第２パネル２も、第１パネル１と同じく鋼板によって一体に形成されたもので、図２〜図４から分かるように、背板部２ａと、この背板部２ａの左右両端に夫々連設された左右側板部２ｂ，２ｂと、両側板部２ｂ，２ｂに夫々横断面略Ｌ字形のツナギ板部２ｃ，２ｃを介して連設された正面側フランジ部２ｄ，２ｄとからなり、各正面側フランジ部２ｄにはその幅方向中央部に凸条部６がフランジ部２ｄの全長にわたって形成され、この凸条部６の突端面にはその全長にわたって、ロック手段３の一部を構成するロック孔４がの長手方向に一定ピッチで形成されている。
【００１７】
図５及び図６は、第２パネル２を第１パネル１に対し所要伸縮位置に固定するロック手段３の一例を示すもので、図５はロック手段３がロック位置にある状態を示し、図６はロック手段３がロック解除位置にある状態を示す。このロック手段３は、第２パネル２の凸条部６に形成した多数のロック孔４の一つに、第１パネル１に設けたロック部材５Ａを係入させることによって、第１パネル１に対し収縮する方向への第２パネル２の移動を阻止すると共に、第１パネル１に対して伸張する方向への第２パネル２の移動を許すように構成されている。
【００１８】
このロック手段３のロック部材５Ａは、第１パネル１の正面側左右各端部に位置する正面側フランジ部１ｄの上端部側に基板７をリベット２３で取り付け、基板７の上端部に開口部７ａを設け、この基板７の下端部に形成された突起部７ｂに板バネ８の一端部をネジ具２４で固定し、この板バネ８の他端部には、基板７の開口部７ａからロック孔４の一つに対し図５の(b) に示すように斜め方向に係入する傾斜状係入片９を突設し、また板バネ８の長手方向中央部に縦長長方形のグリップ係脱用開口部８ａを貫設し、この開口部８ａに臨む基板７の長手方向中央部にナット１０を固着し、このナット１０に螺合した螺軸１１に、縦向きにした状態で開口部８ａを通り抜け出来且つ開口部８ａを通り抜けた後横向きにすることにより開口部８ａを通り抜け出来なくなるような直方体に形成されたグリップ１２を固着してなるものである。
【００１９】
上記板バネ８は、常時は、図６の(b) に示すように、基板７と略平行な姿勢にあって、傾斜状係入片９がロック孔４から離脱したロック解除位置にあり、この時グリップ１２は図６の(a) に示すように板バネ８の開口部８ａ内に縦向き姿勢で嵌まり込んだ状態となっている。
【００２０】
しかして、図６の(a) ，(b) に示すようにグリップ１２が板バネ８の開口部８ａ内で縦向き姿勢にある状態から板バネ８をそのバネ付勢力に抗して基板７に接近するように押圧しながらグリップ１２を開口部８ａの外に突出させた状態で、このグリップ１２を９０度回転させて横向きとすることにより、傾斜状係入片９がロック孔４に係入したロック位置に板バネ８を保持して、第１パネル１に対し収縮する方向（下向き方向）への第２パネル２の移動を阻止することができる。また、このロック位置で横向きにあるグリップ１５を９０度回転させて縦向きにすると、グリップ１２が板バネ８の開口部８ａを通り抜けて、板バネ８がそのバネ付勢力によりロック解除位置に戻るようになっている。また、このロック位置において、第２パネル２を第１パネル１に対し伸張する方向（上向き方向）に移動させると、ロック孔４に対し斜め方向に係入している傾斜状係入片９がその楔作用でロック孔４から離脱する方向にスライドして、板バネ８の遊端部側を基板７から離間して反り返るように変形させ、それによりロック解除状態となるようになっている。
【００２１】
上記ロック部材５Ａにおいて、基板７に固着されたナット１０、このナット１０に螺合した螺軸１１、この螺軸１１に固着したグリップ１２及び板バネ８に設けた開口部８ａは、ロック解除位置に付勢されている板バネ８をバネ付勢力に抗してロック位置に押圧保持し且つそのロック位置での板バネ８の保持を解放してロック解除位置に戻すようにするための操作手段１３を構成する。
【００２２】
上記のような構成のロック部材５Ａを備えたロック手段３によれば、常時はロック部材５Ａの傾斜状係入片９がロック孔４から離脱したロック解除位置にあるから、ロック位置に切り換えるには、板バネ８を基板７側に押圧して、縦向きのグリップ１５を開口部８ａの外に出した後、９０度回転させて横向きにすればよく、またこのロック位置からロック解除位置に切り換えるには、横向きにあるグリップ１５を縦向きにするだけでよく、従ってロック位置からロック解除位置へ、またロック解除位置からロック位置への切換操作をワンタッチで簡単に行うことができる。
【００２３】
図７はロック手段３の他の例を示すもので、(a) は図５の(b) と同様な断面図で、ロック位置にある状態を示し、(b) は図６の(b) と同様な断面図で、ロック解除位置にある状態を示す。この図７に示すロック手段３も、図５及び図６に示すロック手段３と同様に、第２パネル２の凸条部６に形成した多数のロック孔４の一つに、第１パネル１に設けたロック部材５Ｂを係入させることによって、第１パネル１に対し収縮する方向への第２パネル２の移動を阻止すると共に、第１パネル１に対して伸張する方向への第２パネル２の移動を許すように構成されたものであるが、ロック部材５Ｂが、図５及び図６に示すロック手段３のロック部材５Ａと多少異なっている。
【００２４】
このロック手段３のロック部材５Ｂは、第１パネル１の正面側フランジ部１ｄにリベット２３で取り付けた基板７の上端部に開口部７ａを設け、この基板７の下端部側には遊端部側が基板７に近接するように形成された板バネ８の一端部を固定し、この板バネ８の遊端部には、基板７の開口部７ａからロック孔４の一つに対して図７の(a) に示すように斜め方向に係入する傾斜状係入片９を突設し、また板バネ８の長手方向中央部には透孔１４を設けると共にその裏側にナット１５を同心状に固着し、このナット１５に板バネ８の表側から操作用ボルト１６を螺入してなるもので、ボルト１６の回転操作によって、常時は傾斜状係入片９がロック孔４に係入したロック位置（図７の(a) 参照）に付勢されている板バネ８を、そのバネ付勢力に抗して傾斜状係入片９がロック孔４から離脱したロック解除位置（図７の(b) 参照）まで引き離し且つこのロック解除位置にある板バネ８をロック位置に戻すようにしている。
【００２５】
図７の(a) に示すように傾斜状係入片９がロック孔４に係入したロック位置では、操作用ボルト１６はナット１５から突出しない程度に螺合されており、しかしてこのロック位置からボルト１６をドライバーでねじ込み方向に回転させてナット１５から突出させてゆくと、それに伴いボルト１６の先端が基板７に当接したまま、板バネ８の遊端部側が付勢力に抗して基板７側から引き離されて傾斜状係入片９がロック孔４から漸次離脱し、図７の(b) に示すようなロック解除位置となる。また、ロック解除位置からボルト１６を緩み方向に回転させてゆくと、板バネ８の遊端部側が付勢力によって基板７に接近し、同図の(a) に示すように傾斜状係入片９がロック孔４に係入したロック位置となり、それにより第１パネル１に対し収縮する方向（下向き方向）への第２パネル２の移動を阻止することができる。また、このロック位置において、第２パネル２を第１パネル１に対し伸張する方向（上向き方向）に移動させると、ロック孔４に対し斜め方向に係入している傾斜状係入片９がその楔作用によりロック孔４から離脱する方向にスライドして、板バネ８の遊端部側が基板７から離間すように変形し、それによりロック解除状態となる。
【００２６】
上記ロック部材５Ｂにおいて、基板７の中央部に設けた透孔１４、この透孔１４の裏側に取り付けたナット１５、及びこのナット１５に螺合したボルト１６は、常時は傾斜状係入片９がロック孔４に係入したロック位置に付勢されている板バネ８をそのバネ付勢力に抗して傾斜状係入片９がロック孔４から離脱したロック解除位置まで引き離し且つロック解除位置にある板バネ８をロック位置に戻す操作手段１８を構成する。このような構成のロック部材５Ｂを有するロック手段３によれば、ボルト１６をドライバー等で回転操作するだけで、ロック位置からロック解除位置へ、またロック解除位置からロック位置への切換操作を簡単容易に行うことができる。また、操作手段１８及びロック部材５Ｂは、第１パネル１の左右各側端部に形成された凹溝６に収納可能となり、外側方へ不都合に突出することがない。
【００２７】
以上説明したように構成される間仕切りパネルＰの設置方法を図８及び他の図面を適宜に参照しながら説明する。設置にあたって、各間仕切りパネルＰは、第１パネル１内に第２パネル２を収納して図１の(a) ，(b) に実線で示す状態（第２パネル２の上端部が若干突出する状態）にすると共に、ロック手段３をロック状態にしておく。このロック手段３をロック状態にするには、図５及び図６に示すロック手段３では、操作手段１３によりロック部材５Ａの傾斜状係入片９をロック孔４に係入させて図５の(b) に示す状態とし、図７に示すロック手段３では、操作手段１８によりロック部材５Ｂの傾斜状係入片９をロック孔４に係入させて図７の(a) に示す状態とする。
【００２８】
しかして、詳しい図示は省略するが、夫々チャンネル材からなる上下部ランナー１９，２０を天井Ｓ及び床Ｆのパネル設置位置に釘止めや粘着テープによって取り付け、そして第２パネル２を収納した第１パネル１の下端部を下部ランナー２０に嵌め込み、この第１パネル１を保持した状態で、第２パネル２を持ち上げて伸張させ、この第２パネル２の上端部２ａを上部ランナー１９に嵌め込めばよい。
【００２９】
この間仕切りパネルＰの設置に際し、ロック手段３を上記のように予めロック状態にしておけば、第１パネル１の下端部を下部ランナー２０に嵌め込んだ後、第２パネル２を持ち上げて、その上端部２ａを上部ランナー１９に嵌め込むだけの簡単な作業で、１つの間仕切りパネルＰを設置することができる。これは、第１パネル１側のロック部材５Ａ，５Ｂを係入してロック手段３をロック状態にすることにより、第１パネル１に対し収縮する方向への第２パネル２の移動が阻止されると共に、第１パネル１に対し伸張する方向への第２パネル２の移動が自在となるからである。尚、パネルＰの設置途上でロック手段３のロック部材５Ａ，５Ｂを適宜にロック解除操作してもよいわけである。
【００３０】
図８は上記のような方法で所定の場所にその一端から他端へと複数の間仕切りパネルＰを上下部ランナー１９，２０に沿ってパネルＰの側面どうし互いに突き合わせて仕切りを設置した状態を示す。しかして、このように複数枚の間仕切りパネルＰを側面どうし突き合わせた状態で仕切りを形成した後で、その仕切りに例えば出入口を設けるために中間の一つのパネルＰを取り外す必要がある時は、その取り外しが必要な間仕切りパネルＰの正面側両端部に夫々設けてあるロック手段３をロック解除し、そのパネルＰの第２パネル２を第１パネル１内に収納した後、第１パネル１を持ち上げることによって、中間の一つの間仕切りパネルＰのみを簡単容易に取り外すことができる。
【００３１】
以上説明した実施形態の間仕切りパネルＰは、第１パネル１を下側に位置させ、第２パネル２を上側に位置させるようにしたが、第１パネル１を上側、第２パネル２を下側に夫々位置させるように倒置して使用してもよい。しかしながら、この実施形態のように、第１パネル１を下側に位置させ、第２パネル２を上側に位置させるようにすれば、第１パネル１がその長さ（高さ）を十分に長く設定できるから、間仕切りパネルＰとして設置した場合に第１パネル１の上端がパネルＰの上方部に位置する、つまり第１パネル１と第２パネル２との境界部がパネルＰの上方位置に来るため、外観上体裁、見栄えが良い。
【図面の簡単な説明】
【００３２】
【図１】(a) は本発明に係る間仕切りパネルＰの正面図、(b) は側面図で、上側の第２パネル２が下側の第１パネル１に対し上方へ伸張した状態を仮想線で示す。
【図２】(a-1) は第１パネル１の正面図、(a-2) は側面図であり、(b-1) は第２パネル２の正面図、(b-2) は側面図である。
【図３】図１のイ−イ線拡大断面図である。
【図４】(a) は図２の(b-1) のロ−ロ線拡大断面図であり、(b) は(a) の矢印ハから見た正面図、(c) は(b) の右側面図である。
【図５】(a) は図１の(a) の矢印ニで示す部分の拡大正面図、(b) は(a) のホ−ホ線断面図、(c) は(a) のヘ−ヘ線断面図で、ロック手段３がロック位置にある状態を示す。
【図６】ロック手段３がロック解除位置にある状態を示すもので、(a) は図５の(a)と同様な正面図、(b) は図５の(b) と同様な断面図である。
【図７】ロック手段３の他の例を示すもので、(a) は図５の(b) と同様な断面図で、ロック位置にある状態を示し、(b) は図６の(b) と同様な断面図で、ロック解除位置にある状態を示す(a) と同様な断面図である。
【図８】複数の間仕切りパネルＰを側面どうし互いに突き合わせて仕切りを設置した状態を示す正面図である。
【符号の説明】
【００３３】
１            第１パネル
２            第２パネル
３            ロック手段
４            ロック孔
５Ａ          ロック部材
５Ｂ          ロック部材
８            板バネ
９            傾斜状係入片
【図１】
2007332580.tif 000003
【図２】
2007332580.tif 000004
【図３】
2007332580.tif 000005
【図４】
2007332580.tif 000006
【図５】
2007332580.tif 000007
【図６】
2007332580.tif 000008
【図７】
2007332580.tif 000009
【図８】
2007332580.tif 000010